(57)【要約】【課題】人工浮島において、水面を浮遊する生物を含めた水の出入りが円滑に行えるようにする。【解決手段】人工浮島１０を、表面が水面下に水没した植栽基盤２０と、植栽基盤２０の外縁２１に相当する水面上に設けた断続部２２を有するフロート３０から構成する。断続部２２を介して、浮遊物を含めた水の出入りが、人工浮島１０の周辺水域との間で円滑に行われ、植栽基盤２０に植栽した水性植物ｂによる水質浄化作用を十分に発揮することができる。フロート３０を設けない断続部２２に関しての浮力不足は、水中から底面側を支持する植栽基盤支持フロート３１により確保する。【選択図】図１
2008182979.tif 000002
【特許請求の範囲】
【請求項１】
水に浮かせるフロートに植栽基盤を設けた人工浮島であって、
前記植栽基盤は、水面下に水没させられ、
前記フロートは、水没させた前記植栽基盤の外縁に相当する水面上に、浮遊物の通行を阻害しない断続部を有し、
水没させた前記植栽基盤には、前記植栽基盤の底面を水中から支える植栽基盤支持フロートが設けられていることを特徴とする人工浮島。
【請求項２】
請求項１記載の人工浮島において、
前記浮遊物の通行を阻害しない断続部を有するとは、水流方向に沿って前記フロートを設けるとともに、前記水流方向の横断方向に沿っては前記フロートを設けないことであることを特徴とする人工浮島。
【請求項３】
請求項１記載の人工浮島において、
前記浮遊物の通行を阻害しない断続部を有するとは、前記植栽基盤の外縁が多辺形の場合には、少なくとも前記外縁の一辺に相当する水面上に前記フロートを設けるとともに、少なくとも前記外縁の異なる２辺に相当する水面上には前記フロートを設けないことであることを特徴とする人工浮島。
【請求項４】
請求項３記載の人工浮島において、
前記植栽基盤の外縁が四辺形の場合には、二対の相対する対辺のうち、一方の相対する対辺に相当する水面上に前記フロートを設けるとともに、他方の相対する対辺に相当する水面上には前記フロートを設けないことであることを特徴とする人工浮島。
【請求項５】
請求項１〜４のいずれか１項に記載の人工浮島において、
前記人工浮島には、前記フロートを設けない断続部分を少なくとも２箇所設定し、
前記人工浮島を複数連結する際には、各々の前記人工浮島における断続部同士を対向位置に設けて連結することを特徴とする人工浮島。
【請求項６】
請求項１〜５のいずれか１項に記載の人工浮島において、
前記植栽基盤には、前記植栽基盤の断続部方向への設置位置のずれを防止するずれ防止部材が設けられていることを特徴とする人工浮島。
【請求項７】
請求項１〜６のいずれか１項に記載の人工浮島において、
前記植栽基盤は、設置時の水深位置の調節を行う水深位置調節部材を介して前記フロートに係留されることを特徴とする人工浮島。
【請求項８】
請求項７記載の人工浮島において、
前記水深位置調節部材は、請求項６に記載の前記ずれ防止部材を兼ねていることを特徴とする人工浮島。
【請求項９】
請求項１〜８のいずれか１項に記載の人工浮島において、
前記植栽基盤、あるいは前記フロートの少なくともいずれかには、前記断続部側が、水流方向の横断方向を向くように前記人工浮島の位置補正を行う人工浮島位置補正機構が設けられていることを特徴とする人工浮島。
【請求項１０】
人工浮島を用いた水質の浄化方法であって、
前記人工浮島には、水没させた植栽基盤の外縁の水面上に相当する位置にフロートを設けた部分と、水没させた植栽基盤の外縁の水面上に相当する位置にフロートを設けない断続部とを形成し、
複数の前記人工浮島を、各々の前記断続部同士を対向させて前記複数の人工浮島を通る水路を設けた人工浮島群を形成し、
前記人工浮島群の前記水路に前記人工浮島群の周辺域の水を流入させて、各々の前記人工浮島の植栽基盤により水質の浄化を行い、浄化した水を前記人工浮島群から流出させることを特徴とする人工浮島を用いた水質浄化方法。
【請求項１１】
請求項１０記載の水質浄化方法において、
前記水路は、非直線状に曲げられていることを特徴とする人工浮島を用いた水質浄化方法。
【請求項１２】
請求項１０または１１記載の水質浄化方法において、
前記人工浮島には、前記請求項１〜９に記載のいずれか１項に記載の人工浮島が使用されていることを特徴とする人工浮島を用いた水質浄化方法。
【発明の詳細な説明】
【技術分野】
【０００１】
本発明はフロートで水没させた植栽基盤を有する人工浮島に関する技術であり、特に、水没させた植栽基盤表面側への浮遊物を含む水の出入りを円滑にして水質の浄化を行うのに適用して有効な技術である。
【背景技術】
【０００２】
溜め池や湖沼等の水面に植生を有する浮島の造成技術として、浮島を水に浮かせるためのフロートを枠状に設けた構成が知られている。かかる構成では、枠状のフロートの内側に植物を植栽する植栽基盤が設けられている。
【０００３】
例えば、特許文献１には、かかる構成の浮島が記載され、適切な水生植物の生育が行えるように植栽基盤の高さを、盤面高調節手段で管理する構成が記載されている。
【特許文献１】特開２００４−１３５５３３号公報
【発明の開示】
【発明が解決しようとする課題】
【０００４】
しかし、かかる構成の人工浮島の構成では、枠状に設けたフロート内の植栽基盤表面を常時水没させるように構成すると、フロート内の植栽基盤表面の水温変化が極端に大きくなる場合があることが分かった。例えば、夏季等にはフロート内の水温は、フロート外の水温変化よりも大きく、４０℃の高温になる場合がある。また、冬季には、フロート外の水が氷結しないのに、フロート内の水が氷結する場合もみられた。
【０００５】
本発明者は、かかるフロート内外での水温変化の大きな違いの原因を調べた。その結果、植栽基盤の周囲が枠状にフロートで囲われているため、フロート内外の水の出入りが阻止され、且つフロート内の水面積はフロート外の水面積に比べて格段に小さく、フロート内の水環境が孤立化するためであることが原因と判明した。かかる孤立化した水環境では、夏季に太陽に照らされると４０℃もの高温にまで温められ、冬季にはフロート外の周囲の水が氷結しないのにフロート内の水のみが氷結する結果となるのである。
【０００６】
すなわち、フロートで仕切られる内外の水の出入り、交換が円滑に行われないために起きる現象と判明した。かかる水温変化が大きいと、植栽基盤に植栽した植物の生育に著しい悪影響がでる場合がある。そこで、本出願人は、先に特願２００５−２０９９７９で、植栽基盤周辺の水の交換可能な構成を提案した。
【０００７】
かかる提案では、水面に浮かばせるフロートと、その下方に設けた水没フロートとを用いて、水面に浮かばせたフロートの下端側数センチ程度の水深における表層水のフロート内外の出入りを可能とするものであった。
【０００８】
しかし、かかる提案の構成でも、植栽基盤の外縁側は全体が枠状にフロートにより囲まれているため、水面下では水の移動が起こり得ても、水面に浮遊する物質の自由な移動はフロートにより阻まれることとなる。そのため、植栽基盤が有している水質浄化機能を、かかる構成では十分に利用できないとの指摘があった。
【０００９】
また、かかる構成では、フロートで囲まれた人工浮島の領域内では、例えば糸状性藻類等の微小生物が成長し、フロート外への自由な移動が阻まれているため、フロート域内で繁茂して景観等に悪影響を与える場合があるとも指摘されていた。
【００１０】
本発明の目的は、水面を浮遊する生物を含めた物質の移動が円滑に行える人工浮島の技術を提供することにある。
【００１１】
本発明の前記ならびにその他の目的と新規な特徴は、本明細書の記述および添付図面から明らかになるであろう。
【課題を解決するための手段】
【００１２】
本願において開示される発明のうち、代表的なものの概要を簡単に説明すれば、次の通りである。
【００１３】
すなわち、本発明は水に浮かせるフロートに植栽基盤を設けた人工浮島であって、前記植栽基盤は水面下に水没させられ、前記フロートは水没させた前記植栽基盤の外縁に相当する水面上に浮遊物の通行を阻害しない断続部を有し、水没させた前記植栽基盤には前記植栽基盤の底面を水中から支える植栽基盤支持フロートが設けられていることを特徴とする。かかる構成において、前記浮遊物の通行を阻害しない断続部を有するとは、水流方向に沿って前記フロートを設けるとともに、前記水流方向の横断方向に沿っては前記フロートを設けないことであることを特徴とする。
【００１４】
あるいは、前記浮遊物の通行を阻害しない断続部を有するとは、前記植栽基盤の外縁が多辺形の場合には、少なくとも前記外縁の一辺に相当する水面上に前記フロートを設けるとともに、少なくとも前記外縁の異なる２辺に相当する水面上には前記フロートを設けないことであることを特徴とする。かかる構成において、前記植栽基盤の外縁が四辺形の場合には、二対の相対する対辺のうち、一方の相対する対辺に相当する水面上に前記フロートを設けるとともに、他方の相対する対辺に相当する水面上には前記フロートを設けないことであることを特徴とする。
【００１５】
以上いずれかの構成において、前記人工浮島には前記フロートを設けない断続部分を少なくとも２箇所設定し、前記人工浮島を複数連結する際には各々の前記人工浮島における断続部同士を対向位置に設けて連結することを特徴とする。以上いずれかの構成において、前記植栽基盤には前記植栽基盤の断続部方向への設置位置のずれを防止するずれ防止部材が設けられていることを特徴とする。以上いずれかの構成において、前記植栽基盤は設置時の水深位置の調節を行う水深位置調節部材を介して前記フロートに係留されることを特徴とする。かかる構成において、前記水深位置調節部材は前記ずれ防止部材を兼ねていることを特徴とする。以上いずれかの構成において、前記植栽基盤、あるいは前記フロートの少なくともいずれかには、前記断続部側が、水流方向の横断方向を向くように前記人工浮島の位置補正を行う人工浮島位置補正機構が設けられていることを特徴とする。
【００１６】
また、本発明は人工浮島を用いた水質の浄化方法であって、前記人工浮島には水没させた植栽基盤の外縁の水面上に相当する位置にフロートを設けた部分と、水没させた植栽基盤の外縁の水面上に相当する位置にフロートを設けない断続部とを形成し、複数の前記人工浮島を各々の前記断続部同士を対向させて前記複数の人工浮島を通る水路を設けた人工浮島群を形成し、前記人工浮島群の前記水路に前記人工浮島群の周辺域の水を流入させて、各々の前記人工浮島の植栽基盤により水質の浄化を行い、浄化した水を前記人工浮島群から流出させることを特徴とする。かかる構成において、前記水路は、非直線状に曲げられていることを特徴とする。以上いずれかの構成において、前記人工浮島には、前記いずれか記載の人工浮島が使用されていることを特徴とする。
【発明の効果】
【００１７】
本願において開示される発明のうち、代表的なものによって得られる効果を簡単に説明すれば以下のとおりである。
【００１８】
本発明の人工浮島の構成では、フロートは水没させた植栽基盤の外縁に相当する水面上に、浮遊物の通行を阻害しない断続部を有しているので、かかる断続部から植栽基盤側への水の出入りが自由に行われ、水の出入りが自由に行えない場合に比較して、植栽基盤の有する水質浄化機能をより有効に利用することができる。
【００１９】
また、かかる人工浮島を複数連結して人工浮島群を形成する場合には、断続部同士を対向させて連結することができるので、例えば、複数の人工浮島を貫く曲がりくねった水路を形成して、その水路に水を通して水質浄化を図り、水質浄化を行った水を人工浮島群から排出させることができる。
【発明を実施するための最良の形態】
【００２０】
以下、本発明の実施の形態を図面に基づいて詳細に説明する。なお、実施の形態を説明するための全図において、同一の部材には原則として同一の符号を付し、その繰り返しの説明は省略する。
【００２１】
本発明は、水に浮かせたフロートに水没させた植栽基盤を係留させて構成した人工浮島に関する技術である。本発明では、従来は植栽基盤の外縁側の水面上に外縁側を全て囲むようにして枠状にフロートが設けられていたものを、一部にフロートを設けない断続部を敢えて設けるものである。フロートが設けられない断続部は、水面を隔てるバリアーが全くなく、水面上に浮遊した物をも含めて、周辺水域との水の出入りが自由に行えるのである。
【００２２】
かかる断続部を採用することで、水面上の浮遊物の植栽基盤上面側への出入りを自由にして、植栽基盤のもつ水質浄化能力を有効に利用することができる。また、植栽基盤上の水面に、例えば、糸状藻類が繁茂する等のような特定の物質が滞留する等の虞も解消することができるのである。
【００２３】
一方、かかる断続部を設けることにより、植栽基盤を水中に浮かせておく浮力が不足する場合も考えられるが、本発明の構成では、植栽基盤の底面側に植栽基盤支持フロートを設けることで、底面側を水中から支えて安定に浮遊させる構成を採用している。例えば、かかる植栽基盤支持フロートは、断続部が形成されている水中下に設ける等、浮力が不足する側に設ければよい。
【００２４】
また、断続部の形成に際しては、水流方向に沿ってフロートを設けておき、水流方向の横断方向にはフロートを設けないようにすればよい。かかる構成を採用することにより、人工浮島周辺水域の浮遊物は水面上を水流方向に沿って流れ、人工浮島の断続部から植栽基盤表面側に到達することができる。
【００２５】
あるいは、植栽基盤側の水面上に、例えば生育した糸状藻類等の浮遊物があれば、その浮遊物は流れに沿って断続部から周辺水域に流出し、植栽基盤側の水面上に滞留する虞もなくなる。
【００２６】
かかる構成の植栽基盤としては、例えば、外縁が多辺形の場合を想定できるが、その場合には、少なくとも外縁の一辺に相当する水面上にフロートを設け、少なくとも外縁の異なる２辺に相当する水面上にはフロートを設けない構成にすることができる。このように構成すれば、少なくとも２箇所には断続部を設けることができ、一方の断続部を水の流入する開口部として、他方の断続部を水の流出する排出部として使用することができ、人工浮島の植栽基盤で浄化された水が、植栽基盤上に溜まらず周辺水域へ流れ出るようにすることができる。
【００２７】
かかる植栽基盤の外縁形状としては、四辺形が考えられる。四辺形の場合には、二対の相対する対辺のうち、一方の相対する対辺に相当する水面上にフロートを設けるとともに、他方の相対する対辺に相当する水面上にはフロートを設けない断続部を形成すればよい。この場合には、開口部としての断続部、排出部としての断続部は、それぞれ直線状に結ばれ、曲がりくねった場合に比べて、水の流れ込み、流出が比較的円滑に行われることとなる。
【００２８】
さらに、上記構成の断続部を設けた人工浮島は、複数の人工浮島を連結して人工浮島群を形成する場合に、今までにはない新規な構成を形成することができる。すなわち、人工浮島群を構成する各々の人工浮島には、少なくとも２箇所の断続部を設けておき、人工浮島同士を連結する際には、各々の断続部同士が繋がるように、すなわち、断続部同士が対向位置になるようにして連結して人工浮島群を形成することができる。
【００２９】
かかる構成の人工浮島群では、人工浮島群を構成する各々の人工浮島を通過する水路が形成され、人工浮島群の一方の端に相当する人工浮島の断続部から入った水が、他方の端に相当する人工浮島の断続部から排出されることとなる。このように、人工浮島群を貫く水路を形成することで、水路長を長く設定して、水路に入った水に、人工浮島の植栽基盤による水質浄化作用を比較的に長く作用させることで、より水質の浄化を図ることができる。
【００３０】
水路としては、例えば、人工浮島群を構成する人工浮島内を、曲がりくねった構成とすることもでき、水路内を通過する水を、敢えてゆっくりと時間をかけて通過させるようにして、植栽基盤の水質浄化作用を長く受けるようにすることができる。
【００３１】
また、このようにして水質が浄化された水は、水路が上記の如く、開口部となる断続部と、排出部となる断続部とを有しているので、水は水路上を一端側から他端側へ流れて、水質浄化された水が水路内に滞留することがない。
【００３２】
以上の構成を有する人工浮島では、断続部を設けることがその特徴点の一つであるが、一方、断続部を設けたために、植栽基盤がフロートのない断続部側へ移動する等して、位置が大幅にずれることも考えられる。特に、本発明の構成では、従来に比べて簡易なフレームを採用して植栽基盤を搭載しているため、水流方向に沿ってフロートを設け、その横断方向にそってはフロートを設けない断続部を形成する場合には、植栽基盤自体が水流方向に沿って流されやすくなる。
【００３３】
これまでは枠状にフロートが設けられていたため、かかる懸念は無かったが、断続部を設ける本発明の構成では新たに問題となるのである。かかる点の問題点を解消するために、本発明の構成では、ずれ防止部材を設けることにより、かかる植栽基盤の断続方向への位置ずれを防止した。
【００３４】
また、植栽基盤は、植栽される水性植物等により、その水没深度を調整することが好ましいが、かかる構成の植栽基盤をフロートに係留するに際しては、予め設定した長孔、あるいは所定間隔で複数設けたボルト孔を利用して、植栽基盤をボルト連結等の簡易締結手段の水深位置調節部材で、水深位置の調節を可能とした。さらに、かかる水深位置調節部材を用いて、フロートに係留するようにした。
【００３５】
さらに、水深位置調節部材と、前記ずれ防止部材とを兼用できるような構成を採用して、一つの部材で二つの機能を発揮できるようにして、部材の効率化を図るとともに、全体として軽量にして、本発明における植栽基盤の浮力に関わる点の軽減を図った。
【００３６】
以上の構成の人工浮島には、植栽基盤側、あるいはフロート側に、断続部側が水流方向の横断方向を向くように人工浮島の位置補正を行う人工浮島位置補正機構を設けるようにすることもできる。これまでは、一旦設置した人工浮島は、その設置位置の変更は行わないように設定されていたが、前記の如く、断続部を設けて水を流入させて水質浄化を積極的に行えるようにする本発明では、かかる断続部をより積極的に水流方向に向かわせるようにすることが好ましい。
【００３７】
かかる機構としては、風向方向に向きを変えることができる風向板のようなものを植栽基盤、あるいはフロートに固定しておき、風の吹く方向に沿ってフロートが設けられていない部分を自然に向くようにしておいても構わない。特に、ある程度の風速で、風向板の方向が変えられるように固定することで、所定の強度の風が吹いた場合にのみ位置変更ができるようにしておけば好ましい。
【００３８】
あるいは、水中に水流方向板を設けておき、その水流方向に沿って人工浮島が向きを変えて、フロートが設けられていない部分を水流方向に対して横断方向に自然に向かせる構成を採用しても一向に構わない。勿論、かかる水流方向板では、所定の水流強度に対して方向変換が行えるようにしておけばよい。
【００３９】
あるいは、機械的手段で位置補正機構を構成しても一向に構わない。例えば、水流噴射ポンプをフロート、あるいは植栽基盤の水中側に設けておき、その噴射ポンプを遠隔操作で始動、停止させることで位置補正が行えるようにしておけばよい。
【００４０】
かかる構成の機械的手段の位置補正機能は、人工浮島の設置水域の気象情報にリンクさせておき、気象情報に基づく風向に合わせて位置補正の指示を出すように管理しておいても構わない。かかる指示は、人為的に行っても、あるいは、所定の風力予報の場合にのみ自動的に行うようにしても一向に構わない。
【００４１】
（実施の形態１）
本実施の形態では、植栽基盤の外縁が四辺形に形成された場合について説明する。例えば、図１（ａ）に示すように、本発明の人工浮島１０では、人工浮島１０を構成する植栽基盤２０は、四辺形に形成された多辺形の外縁２１部分を有している。かかる植栽基盤２０は、図１（ｂ）に示すように、フロート３０に係留されたフレーム４０により、表面２０ａが水面下となるように水没状態で保持されている。
【００４２】
植栽基盤２０は、例えば、合成繊維のマットで形成されており、かかるマットの中にヤシ繊維製ポットａが、所定間隔で設けられている。かかるヤシ繊維製ポットａの中には土壌が入れられ、例えば、図１（ｂ）に示すように、キショウブ等の水生植物ｂが植えられている。かかる水生植物ｂの根ｃは、合繊マット、ヤシ繊維製ポットａを通してしっかりと張られている。土壌としては、市販の通常の園芸用土等が使用されている。
【００４３】
かかる人工浮島１０に適用できる植物としては、詳細には、浮島表面が常時水没している状態で生育する植物で、抽水植物、浮葉植物、沈水植物等の水生植物ｂ等が例として挙げられる。抽水植物は、根と茎の一部が水底にあり、水中葉と空中葉で形が異なるものがあり、例えば、ハナショウブ、カキツバタ、キショウブ、セキショウ、カンガレー、フトイ、パピルス、ミクリ等が挙げられる。
【００４４】
また、浮葉植物は、根や茎は、水中または水底にあり、葉を水面に浮かべているもので、例えば、スイレン、ヒツジグサ、コウホネ、ハス等が挙げられる。さらに、沈水植物は、水面下に根、茎、葉の全てが存在するもので、クロモ、フサモ、エビモ、コカナダモ、オオカナダモ、トリゲモ等が挙げられる。
【００４５】
かかる抽水植物、浮葉植物、沈水植物等の水性植物ｂが植栽基盤２０を通して根ｃを張ることにより、人工浮島１０での水質浄化作用が発揮される。また、水性植物ｂが根ｃを張ることにより、魚類、水性昆虫等が棲息しやすくなり、かかる動物によっても水面に浮遊する物質の分解等が促進され、水質浄化が行われるのである。
【００４６】
また、特に汚濁が進んだ状況における人工浮島１０での水質浄化には、ヨシ等を生育させて、ヨシにより水中の窒素、リン等を吸収させるようにすればよい。かかるヨシを植栽した場合には、定期的に刈り取りを行う必要がある。
【００４７】
フロート３０は、例えば、塩化ビニール製のパイプ、あるいはＦＲＰパイプ等で形成され、水に浮くように構成されている。かかる構成のフロート３０は、本実施の形態では、図１（ａ）に示すように、四辺形に形成された植栽基盤２０の外縁２１の相対する一対の対辺側に設けられている。他方の相対する一対の対辺側には、フロートが設けられず、断続部２２が形成されている。
【００４８】
尚、フロート３０の水面上に露出する部分には、紫外線遮蔽効果がある所定層厚の薄いヤシマット等を設けておけば、フロート３０の紫外線劣化が防止できて好ましい。特に、ヤシマット等の多孔質素材であれば、水生昆虫等の棲み家となり好ましい。あるいは、かかる効果のある合繊シート等を設けても構わない。さらには、かかる効果のある表面コート剤を塗布する等しても構わない。
【００４９】
フレーム４０は、図１（ｂ）に示すように、植栽基盤２０をその上に搭載できるように平板状にネットを張った搭載フレーム４１と、搭載フレーム４１の底面部に設けた支持フレーム４２と、搭載フレーム４１に搭載した植栽基盤２０の側面位置を断続的に固定する位置固定フレーム４３とから構成されている。すなわち、フレーム４０は籠状には形成されておらず、籠状フレームを用いる場合に比べて極めて簡単な構成で、部材の制作コストの低減、施工時の手間等の短縮等が図れる構成となっている。
【００５０】
搭載フレーム４１は高密度プラスチック製ネット、あるいは硬質ポリエチレンネット等で構成され、その底面側には、搭載フレーム４１上に植栽基盤２０を載せた状態で、中央部が下側に撓まないように水平に保持する支持フレーム４２が設けられている。かかる支持フレーム４２には、例えば、Ｌ型に曲げられたＬ字型鋼等が用いられている。
【００５１】
また、位置固定フレーム４３は、搭載フレーム４１の周囲に下端側が固定されて、例えば、搭載フレーム４１に対して垂直方向に立設させられた板状等に構成されている。搭載フレーム４１に植栽基盤２０を載せた状態では、位置固定フレーム４３は、植栽基盤２０の側面側に沿って断続的に位置するようになっている。このようにして、位置固定フレーム４３により、植栽基盤２０は搭載フレーム４１上に位置が固定され、位置ずれが発生しないようになっている。すなわち、位置固定フレーム４３が、ずれ防止部材として機能しているのである。
【００５２】
特に、植栽基盤２０の角部分に設ける位置固定フレーム４３ａ（４３）は、Ｌ字型鋼等で構成され、植栽基盤２０が前後左右に移動できないように規制している。植栽基盤２０の角部分を除いた側面部分に設ける位置固定フレーム４３ｂ（４３）は、板状のフラットに形成され、フラット面から外側には植栽基盤２０の側面がはみ出さないようになっている。
【００５３】
位置固定フレーム４３ｂでは、図１（ｂ）に示すように、水平に張り出したブラケット４４が設けられ、フロート３０の断面外形に合わせて形成したＵバンド４５にボルト連結等の連結手段で固定できるようになっている。位置固定フレーム４３には、複数のボルト孔が設けられ、ブラケット４４の取り付け位置の高さ調節が、ボルト締結手段等でできるようになっている。
【００５４】
かかるブラケット４４の高さ調節により、フロート３０に係留する搭載フレーム４１の高さ調節を行って、搭載フレーム４１上に載せる植栽基盤２０の水没位置の高さ調節を行うようになっている。すなわち、ブラケット４４が、本実施の形態では、植栽基盤２０の水深位置調整部材として機能しているのである。
【００５５】
さらに、搭載フレーム４１の底面側には、図１（ｂ）に示すように、植栽基盤支持フロート３１が設けられている。かかる植栽基盤支持フロート３１により、フロート３０だけでは植栽基盤２０を浮かせるための浮力が不足する場合に、浮力の補助を行っているのである。かかる植栽基盤支持フロート３１は、図に示す場合には、例えば、フロート３０と同方向に沿って複数設けられている。
【００５６】
上記構成の植栽基盤２０を有する人工浮島１０では、フロート３０が設けられていない断続部２２が形成されているので、２本のフロート３０に挟まれて存在する植栽基盤２０の水面側では、人工浮島１０の周辺域の水が、その浮遊物とともに自由に流れ込むことができる。そのため、流れ込んだ水の水質の浄化が、植栽基盤２０により行うことができるのである。
【００５７】
これまでは、フロートが植栽基盤の外縁に相当する水面上に枠状に設けられていたため、フロート内外の浮遊物を含めた水の出入りが自由に行われず、人工浮島周辺域の水の水質浄化は十分に行えなかった。しかし、本発明のようにフロートを設けない断続部を形成しておくことで、人工浮島周辺域の水の出入りを自由にさせてかかる点の解消を図ることができた。
【００５８】
また、フロートが枠状に設けられていたこれまでの人工浮島では、フロート内に閉じ込められた糸状藻類等が成長しても、フロート外への水域に出ることができず、畢竟、そのまま成長し過ぎて繁茂するようになり、景観等を悪くしていた。しかし、本発明の構成では、水面上の浮遊物が移動できるので、糸状藻類等も植栽基盤の外縁部分から外側に移動することができ、景観の悪化等を防止することができる。
【００５９】
（実施の形態２）
本実施の形態では、図２（ａ）、（ｂ）に示すように、人工浮島１０は、前記実施の形態１と略同様の構成の植栽基盤２０、フロート３０を有している。さらに、植栽基盤２０は、前記実施の形態１と同様に、簡略構成のフレーム４０に搭載されている。
【００６０】
かかる構成の人工浮島１０では、前記実施の形態１で述べた構成とは異なり、位置固定フレーム４３ｂにはブラケット４４が設けられておらず、図２（ｂ）に示すように、位置固定フレーム４３ｂにＵバンド４５を直接取り付けることで、植栽基盤２０の水深位置の調節ができるようになっている。
【００６１】
例えば、Ｕバンド４５の両先端側をボルト状のネジに構成しておき、位置固定フレーム４３ｂに設けたボルト孔に差し込み、ナットで固定する簡易調節手段で調節できるようにしておけばよい。
【００６２】
（実施の形態３）
本実施の形態では、人工浮島１０は、前記実施の形態１と略同様の植栽基盤２０、フロート３０等を有している。さらに、植栽基盤２０は、簡略構成のフレーム４０に保持されている。
【００６３】
異なる点は、図３（ａ）、（ｂ）に示すように、位置固定フレーム４３のうち角に設ける位置固定フレーム４３ａにブラケット４４が設けられ、かかるブラケット４４をＵバンド４５に取り付けることで、フロート３０に植栽基盤２０の係留をすることである。
【００６４】
かかる場合には、前記実施の形態１で述べた構成とは異なり、植栽基盤２０の側面側に設けたフラットな位置固定フレーム４３ｂは設けられていな点である。すなわち、植栽基盤２０の角に、ずれ防止を図る構成の位置固定フレーム４３ａのみが設けられているだけである。本実施の形態の構成では、ずれ防止部材と、位置固定フレームとが、兼ねた構成となっているのである。
【００６５】
（実施の形態４）
本実施の形態では、人工浮島１０は、前記実施の形態２と略同様の植栽基盤２０、フロート３０等を有しており、さらに植栽基盤２０は簡略フレーム４０に搭載されている。異なる点は、図４（ａ）、（ｂ）に示すように、位置固定フレーム４３のうち角に設ける位置固定フレーム４３ａに、Ｕバンド４５が直接に取り付けられている点である。かかるＵバンド４５を介して、フロート３０に植栽基盤２０が係留されている。
【００６６】
かかる場合には、前記実施の形態２で述べた構成とは異なり、植栽基盤２０の側面側に設けたフラットな位置固定フレーム４３ｂは設けられていないため、植栽基盤２０の角でずれ防止を図る構成の位置固定フレーム４３ａに、Ｕバンド４５が所定高さで直接取り付けられている。本実施の形態の構成でも、ずれ防止部材と、位置固定フレームとが、それぞれの機能を兼ねた構成となっている。
【００６７】
本実施の形態の構成を、より具体的には、例えば、図５（ａ）、（ｂ）に示すように、植栽基盤２０を、例えば８８０ｍｍ×１０００ｍｍの辺の長さを有する矩形に形成する。植栽基盤２０の厚みは、例えば１００ｍｍの厚さに形成する。かかる構成の植栽基盤２０は、多孔質の樹脂製マットで構成されている。
【００６８】
また、植栽基盤２０には、図５（ａ）に示すように、縦横４個ずつ、等間隔でヤシ繊維製ポットａが苗ポットとして設けられ、図５（ｂ）に示すように、かかるポット内にキショウブ等の水性植物ｂが植栽されている。
【００６９】
かかる構成の植栽基盤２０が、搭載フレーム４１に載せられている。搭載フレーム４１は、高密度ポリエチレン製ネットで形成されている。一方、位置固定フレーム４３ａは、ステンレスで形成され、植栽基盤２０がずれないように植栽基盤２０の角位置で、位置規制がなされている。
【００７０】
位置固定フレーム４３ａには、Ｕバンド４５が植栽基盤２０の高さ調節がなされて取り付けられている。例えば、図５（ｂ）に示すように、植栽基盤２０の表面位置が、水面下で水深５０ｍｍ〜１００ｍｍになるように設定されている。また、支持フレーム４２には断面角形の棒材が使用され、搭載フレーム４１の下面側には植栽基盤支持フロート３１が、２本、フロート３０に平行に設けられている。
【００７１】
このように構成された人工浮島１０の植栽基盤２０には、図５（ｂ）に示すように、植生植物ｂがしっかりと根ｃを張り、植栽基盤２０側に流れ込む水の水質浄化を行うようになっている。
【００７２】
（実施の形態５）
本実施の形態では、前記実施の形態１で示した構成の人工浮島１０を、陸上植物の植栽に用いた場合を示している。植栽基盤２０は、前記実施の形態１と同様に搭載フレーム４１上に載せられている。かかる構成の搭載フレーム４１は、植栽基盤２０を載せた状態で、位置固定フレーム４３ｂのブラケット４４が、フロート３０に係留するＵバンド４５に取り付けられている。
【００７３】
かかる位置固定フレーム４３ｂの取り付け状況は、取り付けた状態で、植栽基盤２０の底面部分が水面位置、あるいは水面上にくるように設定されている。植栽基盤２０の表面は、完全に水面上に設定され、水からあがった状態になっている。その他の構成は、前記実施の形態１と同様である。
【００７４】
このように、本発明の人工浮島１０は、元々は水性植物ｂを水没させた植栽基盤２０に植栽して、その植栽により人工浮島１０の周辺水域の水をフロート３０を設けない断続部２２から植栽基盤２０の上面側に入れて、その水質浄化を図るものであるが、本実施の形態に示すように陸生植物の植生としても利用することができる。
【００７５】
勿論、本実施の形態のように使用した場合には、植栽基盤２０での水質浄化作用は基本的には期待することはできない。
【００７６】
（実施の形態６）
本実施の形態では、植栽基盤２０の外縁２１を三角形に形成した場合である。断続部２２は、図７（ａ）に示すように、三角形の異なる２辺に設けられ、残る１辺側には外縁２１に相当する水面上にフロート３０が設けられている。図７（ｂ）は、図７（ａ）のＡ−Ａ線での断面図である。
【００７７】
かかる構成では、植栽基盤２０は、前記実施の形態１と同様に、三角形状のフラットな搭載フレーム４１上に載せられ、その状態で水没させられている。水没状態で、植栽基盤２０は、図７（ｂ）に示すように、植栽基盤２０の三角形状の頂点側に植栽基盤支持フロート３１が設けられ、フロート３０では不足する浮力を補う構成となっている。
【００７８】
水面上の浮遊物は、例えば、図７（ａ）の矢印で示すように、水の出入りに合わせて自由に移動することができる。図７（ａ）に示す構成では、支持フレーム４２の構成は、植栽基盤２０が小さいため設けられていない構成である。勿論、必要に応じて、設ければよい。フロート３０への植栽基盤２０の係留には、図示は省略したが、前記実施の形態１で示したように構成すればよい。
【００７９】
図８（ａ）に示す構成では、植栽基盤２０は、その外縁２１は五角形に形成されており、その相対する２辺側にフロート３０が設けられた構成である。また、残りの１辺と残りの相対する２辺側は、フロート３０が設けられない断続部２２に形成されている。また、水中から植栽基盤２０を底面側から支持する植栽基盤支持フロート３１は、五角形の２辺側のフロート３０を設けない頂点側の水中に設けられている。
【００８０】
かかる構成の人工浮島１０では、水没した植栽基盤２０の表面側には、人工浮島１０の周辺水域から、例えば、図８（ａ）の矢印に示すように、水の出入りがあり、水質の浄化が行われる。図８（ｂ）は、図８（ａ）のＡ−Ａ線での断面図である。
【００８１】
本実施の形態では、植栽基盤２０のフロート３０への係留は、実施の形態１でのべたように行えばよい。
【００８２】
（実施の形態７）
前記実施の形態では、多辺形に形成した植栽基盤２０の外縁２１に沿って、相対する対辺側に断続部２２を設けた場合を示したが、例えば、図９（ａ）、（ｂ）に示すように、隣合う２辺に設けても一向に構わない。隣合う他の２辺には、フロート３０が設けられている。かかるフロート３０は、図に示すように、Ｌ型に曲げられたエルボ等の管接続部材３０ａを用いて隣合う２辺のフロート３０同士を連結すればよい。あるいは、当初から、角の曲がりに合わせて曲げたフロート３０を形成しておいても構わない。
【００８３】
尚、本実施の形態では、植栽基盤２０とフロート３０との位置関係を示すため、植栽基盤２０のフロート３０への係留手段は図示を省略した。
【００８４】
図９（ａ）に示す場合には、正方形に構成した植栽基盤２０の隣接する２辺に相当する水面上に、断続部２２を設けた場合である。例えば、水の出入り方向は、図中の矢印に示すようになる。
【００８５】
図９（ｂ）は、植栽基盤２０の外縁２１を長方形に形成した場合で、隣接する２辺に短辺の長さに相当するフロート３０を設けた構成を示している。この場合には、同様のフロート３０の構成を、相対する側に、植栽基盤支持フロート３１として設ければよい。図では、水面上のフロート３０は管接続部材３０ａにより接続構成しているが、水中の植栽基盤支持フロート３１は、２個の独立した構成となっている。
【００８６】
水面に浮かせるフロート３０は、断続部２２を別途所定位置に形成するため、他の箇所にはフロート３０間に間隙部分が形成されないようにしている。このようにフロート３０を形成することで、フロート３０間の間隙から水の出入りが起きないようにすることができる。また、植栽基盤支持フロート３１では、フロート間からの水の出入りには関係がないので、それぞれ独立構成の植栽基盤支持フロート３１を用いればよい。勿論、管接続部材３０ａを用いて繋いでも構わない。
【００８７】
前記実施の形態では、フロート３０の長さが、植栽基盤２０の多辺形の一辺の長さに等しい構成ばかりを示したが、かかるフロート３０の長さは、任意で構わない。図９（ｂ）に示すように、浮力が十分に得られる構成であれば、フロート３０は長辺の半分以下の長さのように、適宜に設定して構わないのである。
【００８８】
（実施の形態８）
本実施の形態では、図１０（ａ）、（ｂ）に示すように、植栽基盤２０を円形に形成した場合を示す。図１０（ａ）の構成では、フロート３０を、植栽基盤２０の外縁２１に沿って円弧状に形成した場合である。フロート３０は、相対する方向に設けておき、断続部２２が相対す方向に直線状に設けられた場合である。植栽基盤支持フロート３１は、断続部２２側の底面側に設けておけばよい。
【００８９】
図１０（ｂ）に示す場合は、植栽基盤２０の外縁２１を円形に形成して、フロート３０を直状に構成した場合を示す。かかる構成の植栽基盤２０では、植栽基盤支持フロート３１が、水面下に複数設けられ、水面上にはフロート３０を極力小さく設定したもので、全体としての景観を重視した構成である。
【００９０】
尚、本実施の形態では、植栽基盤２０とフロート３０との位置関係を示すために、植栽基盤２０のフロート３０への係留手段は図示を省略した。
【００９１】
（実施の形態９）
本実施の形態では、複数の人工浮島１０を連結して人工浮島群１００を構成したものである。特に、図１１（ａ）、（ｂ）、（ｃ）に示すように、本実施の形態の構成では、個々の人工浮島１０の断続部２２が、互いに対向する位置に設定させられて連結されている。このように連結することで、人工浮島群１００を構成する個々の人工浮島１０を貫いて両矢印で水の出入り方向を示す水路５０が形成されることとなり、水質浄化に際しては、水が、人工浮島群１００の一方の端にある人工浮島１０の断続部２２から入り、他方の端にある人工浮島１０の断続部２２から排出されることとなる。
【００９２】
図１１（ａ）に示す構成では、植栽基盤２０は、それぞれ三角形に形成され人工浮島１０を連結して、人工浮島群１００を構成した場合を示した。互いに隣り合う直状のフロート３０は、直状の管接続部材３０ｂにより接続されて、フロート３０間に間隙ができないようになっている。人工浮島１０の連結は、フロート３０同士を管接続部材３０ｂで連結するのと、併せて図示はしないが植栽基盤２０同士を連結して行われている。
【００９３】
図１１（ｂ）に示す構成では、植栽基盤２０は、正方形に形成され、相対する対辺側にフロート３０を設けた人工浮島１０を連結して人工浮島群１００を構成した場合を示している。隣合うフロート３０間は、直状の管接続部材３０ｂを介して連結されている。
【００９４】
かかる構成では、人工浮島群１００は、対辺にフロート３０を設けた人工浮島１０が横に直線状に繋げられているため、フロート３０同士を管接続部材３０ｂで連結するだけで人工浮島１０の連結も行うことができる。
【００９５】
図１１（ｃ）に示す構成は、植栽基盤２０の構成を正方形に形成して、一方の植栽基盤２０では相対する対辺側にフロート３０を設け、他方の植栽基盤２０側では隣接する２辺にフロート３０を設けた場合である。フロート３０の連結には、管接続部材３０ａ、３０ｂがそれぞれ使用されている。人工浮島１０の連結は、植栽基盤２０同士を連結しても構わないが、例えば、フロート３０同士を管接続部材３０ｂで連結することで行うようにしても構わない。
【００９６】
かかる構成の人工浮島１０を組み合わせることで、人工浮島群１００内を通過する水路５０を曲げた構成とすることができる。このように両矢印で水の出入り方向を示す水路５０を曲げることで、人工浮島群１０の組合せ如何で、自由な水路５０のレイアウトが構成できる。
【００９７】
尚、本実施の形態では、植栽基盤２０とフロート３０との位置関係を示すために、植栽基盤２０のフロート３０への係留手段は図示を省略した。
【００９８】
（実施の形態１０）
本実施の形態では、８個の人工浮島１０を、断続部２２同士を対向位置に設けた状態で連結して、両矢印で示す水路５０を、人工浮島群１００の一方の端の人工浮島１０の断続部２２から、他方の端の人工浮島１０の断続部２２へ抜けるように形成した場合である。
【００９９】
図１２に示すように、各々の人工浮島１０を構成するフロート３０は、Ｌ型に曲げられた管接続部材３０ａと、直状に形成された管接続部材３０ｂと、三叉に形成された管接続部材３０ｃとを適宜に用いて接続されている。かかる構成でも、人工浮島１０の連結は、植栽基盤２０同士を連結しても構わないが、フロート３０同士を管接続部材３０ａ、３０ｂ、３０ｃで連結することで代えることができる。
【０１００】
かかる構成は、前記実施の形態で述べた構成の人工浮島１０を、組み合わせて可能となったものである。このように、水路５０を曲がりくねって人工浮島群１００の中に構成することで、水の水路５０内を流れる時間を長く設定して、植栽基盤２０の水質浄化作用を十分に働かせるようにしても構わない。
【０１０１】
尚、本実施の形態では、植栽基盤２０とフロート３０との位置関係を示すために、植栽基盤２０のフロート３０への係留手段は図示を省略した。
【０１０２】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【０１０３】
本発明は、水質の浄化機能を有効に果たす人工浮島で利用することができる。
【図面の簡単な説明】
【０１０４】
【図１】（ａ）は本発明の人工浮島の状況を示す平面図であり、（ｂ）はその断面図である。
【図２】（ａ）は本発明の人工浮島の状況を示す平面図であり、（ｂ）はその断面図である。
【図３】（ａ）は本発明の人工浮島の状況を示す平面図であり、（ｂ）はその断面図である。
【図４】（ａ）は本発明の人工浮島の状況を示す平面図であり、（ｂ）はその断面図である。
【図５】（ａ）は本発明の人工浮島の状況を示す平面図であり、（ｂ）はその断面図である。
【図６】（ａ）は本発明の人工浮島の状況を示す平面図であり、（ｂ）はその断面図である。
【図７】（ａ）は植栽基盤の形状の変形例を示す平面図であり、（ｂ）はその断面図である。
【図８】（ａ）は植栽基盤の形状の変形例を示す平面図であり、（ｂ）はその断面図である。
【図９】（ａ）、（ｂ）は植栽基盤の断続部の変形例を示す平面図である。
【図１０】（ａ）、（ｂ）は植栽基盤の形状の変形例を示す平面図である。
【図１１】（ａ）、（ｂ）、（ｃ）は、複数の人工浮島を組み合わせて人工浮島群を構成した場合を示す平面図である。
【図１２】複数の人工浮島を組み合わせて人工浮島群を構成した場合において、水路曲げて構成した場合を示す平面図である。
【符号の説明】
【０１０５】
１０      人工浮島
２０      植栽基盤
２０ａ    表面
２１      外縁
２２      断続部
３０      フロート
３０ａ    管接続部材
３０ｂ    管接続部材
３０ｃ    管接続部材
３１      植栽基盤支持フロート
４０      フレーム
４１      搭載フレーム
４２      支持フレーム
４３      位置固定フレーム
４３ａ    位置固定フレーム
４３ｂ    位置固定フレーム
４４      ブラケット
４５      Ｕバンド
５０      水路
１００    人工浮島群
ａ        ヤシ繊維製ポット
ｂ        水性植物
ｃ        根
【図１】
2008182979.tif 000003
【図２】
2008182979.tif 000004
【図３】
2008182979.tif 000005
【図４】
2008182979.tif 000006
【図５】
2008182979.tif 000007
【図６】
2008182979.tif 000008
【図７】
2008182979.tif 000009
【図８】
2008182979.tif 000010
【図９】
2008182979.tif 000011
【図１０】
2008182979.tif 000012
【図１１】
2008182979.tif 000013
【図１２】
2008182979.tif 000014
【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
水に浮かせるフロートに植栽基盤を設けた人工浮島であって、
前記植栽基盤は、水面下に水没させられ、
前記フロートは、水没させた前記植栽基盤の外縁に相当する水面上に、浮遊物の通行を
阻害しない断続部を有し、
水没させた前記植栽基盤には、前記植栽基盤の底面を水中から支える植栽基盤支持フロ
ートが設けられ、
前記人工浮島には、前記フロートを設けない断続部分を少なくとも２箇所設定し、
前記人工浮島を複数連結する際には、各々の前記人工浮島における断続部同士を対向位
置に設けて連結することを特徴とする人工浮島。
【請求項２】
人工浮島を用いた水質の浄化方法であって、
前記人工浮島には、水没させた植栽基盤の外縁の水面上に相当する位置にフロートを設けた部分と、水没させた植栽基盤の外縁の水面上に相当する位置にフロートを設けない断続部とを形成し、
複数の前記人工浮島を、各々の前記断続部同士を対向させて前記複数の人工浮島を通る水路を設けた人工浮島群を形成し、
前記人工浮島群の前記水路に前記人工浮島群の周辺域の水を流入させて、各々の前記人工浮島の植栽基盤により水質の浄化を行い、浄化した水を前記人工浮島群から流出させることを特徴とする人工浮島を用いた水質浄化方法。
【請求項３】
請求項２記載の水質浄化方法において、
前記水路は、非直線状に曲げられていることを特徴とする人工浮島を用いた水質浄化方法。
【請求項４】
請求項２または３記載の水質浄化方法において、
前記人工浮島には、前記請求項１に記載の人工浮島が使用されていることを特徴とする人工浮島を用いた水質浄化方法。